(57)【要約】【課題】障子閉じ状態で可動障子の面外方向の振れを規制部材と被規制部材で規制でき、しかも障子開閉時の音鳴りを低減できると共に、障子開閉力を小さくでき、さらに前記規制部材が歩行者のつまずきの原因となりにくくした建具とする。【解決手段】閉じ位置の可動障子の面内方向閉じ側端部よりも閉じ側寄りの設置面ａに、面外方向に間隔を置いて対向した一対の規制面５０ａを有した規制部材５０を取り付け、前記可動障子の面内方向閉じ側端部に被規制部６０ｂを有した被規制部材６０を取り付け、前記可動障子が閉じ位置のときにのみ被規制部６０ｂが一対の規制面５０ａ間に入り込んで面外方向に動くことを規制するようにして可動障子の面外方向の振れを規制し、その可動障子を開閉移動するときには被規制部６０ｂが規制面５０ａと擦れることがなく、音鳴りを低減できると共に、障子開閉力を小さくでき、前記規制部材５０の高さを低くして歩行者のつまづきの原因となりにくくする。【選択図】図４
2010275790.tif 000002
【特許請求の範囲】
【請求項１】
少なくとも一対の縦枠と上枠を有した建具枠に、複数の可動障子を閉じ位置と開き位置とに亘って面内方向に移動可能に吊り下げ支持して取り付けた建具であって、
前記閉じ位置の可動障子の面内方向閉じ側端部よりも閉じ側寄りの設置面に、当該可動障子と移動方向に隣接した他の可動障子の面外方向中間部を境として面外方向に間隔を置いて対向した一対の規制面を有する規制部材を取り付け、
前記可動障子の面内方向閉じ側端部に、その可動障子よりも面外方向他側に突出して前記他の可動障子の下面と設置面との間に位置する被規制部を有した被規制部材を、その可動障子が閉じ位置のときにのみ被規制部が前記一対の規制面間に入り込み、面外方向の動きが規制されるように取り付けたことを特徴とする建具。
【請求項２】
前記被規制部材に障子ガイドローラを取り付け、この障子ガイドローラを、前記他の可動障子の面内方向に連続したガイド凹溝内に面内方向に移動可能に嵌まり込んでいる請求項１記載の建具。
【請求項３】
前記被規制部材は、可動障子の面内方向閉じ端部に固着して取り付ける固着部と、この固着部よりも面外方向他側に突出して前記他の可動障子の下框の下方に位置する被規制部を有し、その被規制部に障子ガイドローラを、上向きで縦軸回りに回転自在に取り付け、  前記他の可動障子の下框に、下向きに開口したガイド凹溝を形成し、このガイド凹溝に障子ガイドローラを嵌め込んである請求項２記載の建具。
【請求項４】
前記建具を、前記建具枠の面外方向一側寄りに固定障子を取り付け、この建具枠の面外方向中間に第１可動障子、面外方向他側寄りに第２可動障子を閉じ位置と開き位置に亘って面内方向に移動可能に吊り下げ支持して取り付け、前記第１可動障子が閉じ位置のときに、その面内方向開き側端部が固定障子の面内方向閉じ側端部の面外方向他側に重なり合い、前記第１・第２可動障子が閉じ位置のときに第２可動障子の面内方向開き側端部が第１可動障子の面内方向閉じ側端部の面外方向他側に重なり合うようにした３枚引戸タイプとし、
前記第１可動障子の面内方向閉じ側端部よりも閉じ側寄りの設置面に規制部材を取り付け、その第１可動障子の面内方向閉じ側端部に被規制部材を取り付けた請求項１〜３いずれか１項に記載の建具。
【発明の詳細な説明】
【技術分野】
【０００１】
本発明は、建具枠内に複数の障子を移動可能に吊り下げ支持して取り付けた障子吊り下げで、引戸タイプの建具に関する。
【背景技術】
【０００２】
従来、障子吊り下げで、引戸タイプの建具としては、例えば特許文献１に開示されたハンガー引戸が知られている。
このハンガー引戸は、固定障子と第１．第２の可動障子を備え、その第１・第２の可動障子の上部に取り付けた吊車を、枠体（建具枠）の上枠に設けたレールに転動自在にそれぞれ接して面内方向に移動可能に吊り下げ支持し、この第１・第２の可動障子を閉じた際の第１の可動障子の召合せ框の近傍の床面に規制部材を取り付け、この規制部材によって第１の可動障子の下框（隙間塞閉部材）を、その障子の面外方向から挟み、可動障子を閉じた状態で、その可動障子の面外方向の振れを規制するようにしてある。
【先行技術文献】
【特許文献】
【０００３】
【特許文献１】特開２００７−１８６８８９号公報
【発明の概要】
【発明が解決しようとする課題】
【０００４】
前述した従来のハンガー引戸によれば、可動障子を閉じた状態で可動障子が面外方向に振れることを規制するために、床面に取り付けた規制部材で可動障子の下框を面外方向から挟んでいるので、その可動障子が開閉移動するときに、その下框が規制部材と擦りながら移動する。
このために、障子開閉時に音鳴りが生じると共に、障子開閉力が大きくなってしまう。
【０００５】
しかも、障子の下框（隙間塞閉部材）は、その障子の面内方向（左右方向）ほぼ全長に亘る長さであるから、その下框の下面と床面との間には所定の寸法の隙間を設けて障子がスムーズに開閉移動するようにしているので、前記下框を挟む規制部材の高さは、下框との重なり寸法と前述の隙間の和となるから、その規制部材の高さは高い。
したがって、規制部材が、床面を歩行する人のつまずきの原因となる懸念がある。
【０００６】
本発明の目的は、規制部材と被規制部材で障子閉じ状態で可動障子の面外方向の振れを規制できること、障子開閉時の音鳴りを低減できること、障子開閉力を小さくできること、前記規制部材が歩行する人のつまずきの原因となりにくくすること、を満足した建具とすることである。
【課題を解決するための手段】
【０００７】
本発明は、少なくとも一対の縦枠と上枠を有した建具枠に、複数の可動障子を閉じ位置と開き位置とに亘って面内方向に移動可能に吊り下げ支持して取り付けた建具であって、
前記閉じ位置の可動障子の面内方向閉じ側端部よりも閉じ側寄りの設置面に、当該可動障子と移動方向に隣接した他の可動障子の面外方向中間部を境として面外方向に間隔を置いて対向した一対の規制面を有する規制部材を取り付け、
前記可動障子の面内方向閉じ側端部に、その可動障子よりも面外方向他側に突出して前記他の可動障子の下面と設置面との間に位置する被規制部を有した被規制部材を、その可動障子が閉じ位置のときにのみ被規制部が前記一対の規制面間に入り込み、面外方向の動きが規制されるように取り付けたことを特徴とする建具である。
【０００８】
本発明においては、前記被規制部材に障子ガイドローラを取り付け、この障子ガイドローラを、前記他の可動障子の面内方向に連続したガイド凹溝内に面内方向に移動可能に嵌まり込んでいるようにできる。
このようにすることで、他の可動障子を障子ガイドローラとガイド凹溝をガイドとしてスムーズに面内方向に移動できる。
しかも、障子ガイドローラの取り付けに被規制部材を利用しているので、部品点数を低減できる。
さらに、可動障子と他の可動障子が閉じ位置のときに、他の可動障子の面外方向の振れを規制できる。
【０００９】
本発明においては、前記被規制部材は、可動障子の面内方向閉じ側端部に固着して取り付ける固着部と、この固着部よりも面外方向他側に突出して前記他の可動障子の下框の下方に位置する被規制部を有し、その被規制部に障子ガイドローラを、上向きで縦軸回りに回転自在に取り付け、  前記他の可動障子の下框に、下向きに開口したガイド凹溝を形成し、このガイド凹溝に障子ガイドローラを嵌め込んであるようにできる。
このようにすれば、ガイド凹溝、障子ガイドローラが目視されないと共に、被規制部は見えづらいので見栄えが良い。
【００１０】
本発明においては、前記建具を、前記建具枠の面外方向一側寄りに固定障子を取り付け、この建具枠の面外方向中間に第１可動障子、面外方向他側寄りに第２可動障子を閉じ位置と開き位置に亘って面内方向に移動可能に吊り下げ支持して取り付け、前記第１可動障子が閉じ位置のときに、その面内方向開き側端部が固定障子の面内方向閉じ側端部の面外方向他側に重なり合い、前記第１・第２可動障子が閉じ位置のときに第２可動障子の面内方向開き側端部が第１可動障子の面内方向閉じ側端部の面外方向他側に重なり合うようにした３枚引戸タイプとし、
前記第１可動障子の面内方向閉じ側端部よりも閉じ側寄りの設置面に規制部材を取り付け、その第１可動障子の面内方向閉じ側端部に被規制部材を取り付けることができる。
【発明の効果】
【００１１】
本発明によれば、可動障子が閉じ位置のときにのみ被規制部材の被規制部が規制部材の一対の規制面に入り込んで面外方向の動きが規制されるので、障子閉じ状態で可動障子の面外方向の振れを規制できる。
しかも、可動障子を開閉移動するときには被規制部が一対の規制面から抜け出すので、障子開閉時の音鳴りを低減できると共に、障子開閉力を小さくできる。
さらに、被規制部を設置面に接近することができるので、規制部材を低いものとすることができ、その規制部材が歩行する人のつまずきの原因となりにくい。
【図面の簡単な説明】
【００１２】
【図１】本発明の実施の形態を示す建具の概略正面図である。
【図２】図１の横断面図である。
【図３】図１の縦断面図である。
【図４】図２における規制部材と被規制部材の取付部分の拡大図である。
【図５】被規制部材を取り外した状態の斜視図である。
【図６】被規制部材を取り付けた状態の斜視図である。
【図７】図３に示す下框部分の拡大図である。
【図８】図２における固定障子と第１可動障子の召合せ部の拡大図である。
【図９】図８のＡ−Ａ縦断面図である。
【発明を実施するための形態】
【００１３】
図１に示すように、建具枠１内に固定障子２が取り付けてあると共に、その建具枠１内に複数の可動障子、例えば第１可動障子３と第２可動障子４が面内方向に移動可能に吊り下げ支持して取り付けてある。
これによって、障子吊り下げタイプで３枚の引戸タイプの建具としてある。
なお、複数の可動障子のみを取り付けても良い。
前記面内方向とは後述する上枠１１の長手方向で、この上枠１１の長手方向と直角な方向（幅方向）を面外方向とする。
【００１４】
前記固定障子２は、図２に示すように建具枠１の面外方向一側寄りに取り付けてある。
前記第１可動障子３は建具枠１の面外方向中間に取り付けてある。
前記第２可動障子４は建具枠１の面外方向他側寄りに取り付けてある。
図２に示す状態は、第１・第２可動障子３，４が閉じ位置で障子閉じ状態となっている。
【００１５】
図２に示す状態から、把手５を持って第２可動障子４を面内方向一方（開き方向）に向けて若干の距離移動するときは、第２可動障子４のみが移動し、さらに第２可動障子４を開き方向に移動するときは第１可動障子３も連動して開き方向に移動し、第１可動障子３の面内方向開き側端部が固定障子２に取り付けた第２の戸当り７に当接して第１可動障子３が固定障子２の面外方向他側に重なり合った開き位置となると共に、第２可動障子４の面内方向開き側端部が第１可動障子３に取り付けた第１の戸当り６に当接して第２可動障子４は、第１可動障子３の面外方向他側に重なり合った開き位置となる。
これによって、障子開き状態となる。
【００１６】
前記建具枠１は図１、図２、図３に示すように、面内方向一対の縦枠１０，１０と、その一対の縦枠１０の上端部間に連結した上枠（無目）１１を有している。なお、建具枠１は欄間を形成する中間横枠などを有するものでも良い。つまり、少なくとも一対の縦枠１０と上枠１１有するものである。
前記上枠１１は図３に示すように、面外方向一側寄りの面材取付部１１ａと、面外方向中間の第１レール１１ｂと、面外方向他側寄りの第２レール１１ｃを有し、その面材取付部１１ａは第１．第２レール１１ｂ，１１ｃよりも下方に突出し、上枠１１の面外方向他側部にカバー１１ｄを取り付けて第１・第２レール１１ｂ，１１ｃを覆っている。
【００１７】
前記固定障子２は図１、図２、図３に示すように、下框２０と、面内方向一方の開き側縦框（戸当り框）２１と、面内方向他方の閉じ側縦框（召合せ框）２２と、前記上枠１１の面材取付部１１ａとに亘って面材２３を装着している。
前記下框２０は設置面ａに接し、前記開き側縦框２１は面内方向一方の縦枠１０に固着してある。前記設置面ａは床面や地面などである。
前記第１可動障子３は図１、図２、図３に示すように、下框３０と上框３１と面内方向一方の開き側縦框（召合せ框）３２と面内方向他方の閉じ側縦框（召合せ框）３３を方形状に連結し、その内部に面材３４が装着してある。
前記上框３１に取り付けた吊り車３５が前記第１レール１１ｂに接し、第１可動障子３は第１レール１１ｂに沿って面内方向に移動可能に吊り下げ支持してある。
前記第２可動障子４は図１、図２、図３に示すように、下框４０と上框４１と面内方向一方の開き側縦框（召合せ框）４２と面内方向他方の閉じ側縦框（戸当り框）４３を方形状に連結し、その内部に面材４４が装着してある。
前記上框４１に取り付けた吊り車４５が前記第２レール１１ｃに接し、第２可動障子４は第２レール１１ｃに沿って面内方向に移動可能に吊り下げ支持してある。
【００１８】
図１に示すように、前記第１・第２可動障子３，４の下框３０，４０の下面と設置面ａとの間には隙間がある。
【００１９】
そして、障子閉じ状態のときには図２に示すように、第１可動障子３の開き側縦框３２が固定障子２の閉じ側縦框２２の面外方向他側に重なり合い、第２可動障子４の開き側縦框４２が第１可動障子３の閉じ側縦框３３の面外方向他側に重なり合い、第２可動障子４の閉じ側縦框４３が左右他方の縦枠１０に取り付けた戸当り１０ａに当接する。
【００２０】
前述の説明で、面材２３，３４，４４としてはガラス、樹脂プレートなどが用いられる。
前記固定障子２、第１・第２可動障子３，４は、框を用いずにパネルのみとしても良い。
【００２１】
前記設置面ａには、障子閉じ状態で可動障子が面外方向に振れることを規制する規制部材５０が取り付けてある。
この規制部材５０は、面外方向に間隔を置いて対向した一対の規制面５０ａ，５０ａを有している。この規制面５０ａは縦向きで、面内方向（図２で左右方向）に向かう面で、その規制面５０ａの面内方向の長さは、可動障子の面内方向の長さに比べて著しく短い。
例えば、設置面ａに一対の規制ブロック５１を面外方向に間隔を置いて取り付け、その一対の規制ブロック５１の対向した端面５１ａを前述の規制面５０ａとする。
【００２２】
前記規制部材５０は、振れを規制する可動障子（図２では第１可動障子３）が閉じ位置の場合に、その可動障子の閉じ側縦框３３、つまり可動障子の面内方向閉じ側端部よりも閉じ側寄り近傍に、その一対の規制面５０ａが、当該可動障子と移動方向に隣接した他の可動障子（図２では第２可動障子４）の面外方向中間部、好ましくは面外方向中央部を境として面外方向に間隔を置いて対向するように取り付けてある。
前記振れを規制する可動障子の閉じ側縦框には被規制部材６０が取り付けてある。
この被規制部材６０は、固着部６０ａと被規制部６０ｂを有し、その被規制部６０ｂが、前記閉じ側縦框よりも面内方向の閉じ側に向けて突出し、かつ閉じ側縦框（可動障子）よりも面外方向他側に突出して前記他の可動障子の下面と設置面ａとの間に位置している。
この被規制部材６０の被規制部６０ｂは、前記可動障子が閉じ位置のときにのみ、前記規制部材５０の一対の規制面５０ａ，５０ａ間に入り込み、その被規制部６０ｂが規制面５０ａに接することで面外方向の動きが規制される。
これによって、可動障子の面外方向の振れを規制する。前記閉じ位置のときにのみとは、閉じ位置から開き方向に若干移動した場合も含むものとする。
【００２３】
前記振れを規制する可動障子を閉じ位置から開き方向に若干だけ移動すると、前記被規制部６０ｂが一対の規制面５０ａ間から抜け出し、その後に開き方向に移動するときには被規制部６０ｂが規制面５０ａに擦れることがないので、障子開閉時の音鳴りを低減できると共に、障子開閉力を小さくできる。
【００２４】
しかも、被規制部材６０の被規制部６０ｂは振れを規制する可動障子と面内方向に離れているし、その被規制部６０ｂの面内方向の長さが可動障子と比べて著しく短いので、この被規制部６０ｂを設置面ａに接近させることができる。
したがって、規制部材５０の高さ、つまり規制面５０ａの上下方向の寸法を小さくすることができ、その規制部材５０が歩行する人のつまずきの原因となりにくい。
【００２５】
図２に示すように、前記被規制部材６０には障子ガイドローラ６１が取り付けてある。
この障子ガイドローラ６１は、前記振れを規制する可動障子と隣接した他の可動障子、図２では第２可動障子４に形成した面内方向に連続したガイド凹溝４ａに面内方向に移動可能に嵌まり込んでいる。
これによって、前記他の可動障子（第２可動障子４）は、ガイド凹溝４ａと障子ガイドローラ６１をガイドとして移動するので、その他の可動障子（第２可動障子４）をスムーズに移動できる。
しかも、障子ガイドローラ６１の取り付けに被規制部材５０を利用しているので、その障子ガイドローラ６１を取り付ける部材が不要で、部品点数を低減できる。
さらに、可動障子が閉じ位置のときに、前述のように被規制部材６０の被規制部６０ａが規制部材５０の一対の規制面５０ａに接して面外方向の振れが規制されるから、その被規制部材６０に設けた障子ガイドローラ６１と前述のガイド凹溝４ａとで前述の他の可動障子（第２可動障子４）が閉じ位置のときに面外方向に振れることを規制できる。
【００２６】
要するに、障子移動方向に隣接した一方の可動障子（第１可動障子３）に被規制部材６０を取り付け、その被規制部材６０に取り付けた障子ガイドローラ６１を他方の可動障子（第２可動障子４）のガイド凹溝４ａに面内方向に移動可能に嵌めこむことで、可動障子、他方の可動障子が閉じ位置のときに、前記他の可動障子の面外方向の振れを規制できる。
【００２７】
次に、各部材の詳細を説明する。ただし、振れを規制する可動障子を第１可動障子３、隣接した他の可動障子を第２可動障子４とする。
前記被規制部材６０は、図４〜図６に示すように、面外方向に向かう縦板状の固着片６２と、この固着片６２の面外方向他側面に一体に設けた面内方向に向かう縦板状の外向片６３と、この外向片６３の下端面に一体に設けた面外方向他側に向かう水平板状の横片６４を備え、その固着片６２が前述の固着部６０ａで、前記横片６４が前述の被規制部６０ｂであり、その横片６４に障子ガイドレール６１が上向きで縦軸回りに回転可能に取り付けてある。
前記固着片６２の上下方向の長孔６２ａからねじ６２ｂを第１可動障子３の閉じ側縦框３３の面内方向外側面３３ａに固着して固着片６２を、上下方向に移動して高さ調整可能に取り付ける。
これによって、横片６４が閉じ側縦框３３よりも面外方向他側方に突出し、図４、図７に示すように第２可動障子４の下框４０の下方に横片６４が位置する。前記障子ガイドローラ６１の回転中心は第２可動障子４の面外方向（見込み方向）中央に位置している。
【００２８】
前記第２可動障子４の下框４０は、図７に示すように、下向き凹部４０ａを有し、その下向き凹部４０ａに下向きコ字形状の枠材４０ｂを挿入してビス４０ｃで固着して取り付け、この枠材４０ｂで下向きに開口したガイド凹溝４ａを形成している。このガイド凹溝４ａは下框４０の面外方向中央に位置している。
前記横片６４に取り付けた障子ガイドローラ６１が前記ガイド凹溝４ａ内に面内方向に移動可能に嵌まり込んでいる。
【００２９】
前記規制部材５０の一対の規制ブロック５１は図４、図７に示すように、第２可動障子４の下框４０の面外方向中央を境として面外方向の両側に対称に取り付けてある。この規制ブロック５１の上面は対向した端面５１ａ側が最も高く、その端面５１ａと反対側に向けて順次低くなるように傾斜面となっている。
そして、規制ブロック５１の高さは、下框４０（枠材４０ｂ）の下面と設置面ａとの間の隙間の上下寸法よりも小さく、前記横片６４（被規制部６０ｂ）の上面は規制ブロック５１の上面と略同一高さである。
このようであるから、被規制部６０が目立つことがないし、障子ガイドローラ６１は目視されない。
【００３０】
図７、図８に示すように、前記固定障子２の閉じ側縦框２２にブラケット７０を面外方向他側に突出して取り付け、このブラケット７０に、障子ガイドローラ７１を上向きで縦軸回りに回転可能に取り付けたプレート７２が取り付けてある。
この障子ガイドローラ７１は図３、図７に示すように、前記第１可動障子３の下框３０の下向きのガイド凹溝３ａに面内方向に移動可能に嵌まり込んでいる。
これによって、第１可動障子３は、ガイド凹溝３ａと障子ガイドローラ７１をガイドとして移動するので、その第１可動障子３をスムーズに移動できる。
しかも、障子ガイドローラ７１は固定障子２の閉じ側縦框２２に取り付けられて、面外方向には動かないので、障子閉じ状態において第１可動障子３が面外方向に振れることを抑制できる。
【００３１】
図８と図９に示すように、前記固定障子２の閉じ側縦框２２に取り付けた障子ガイドローラ７１を面外方向に動かないように支持する支持部材７５が設置面ａに固着具７６で固着して取り付けてある。
この支持部材７５は穴７５ａを有している。
前記障子ガイドローラ７１は、支軸７１ａにローラ７１ｂを回転自在に設けたもので、その支軸７１ａの下部が、前記プレート７２に固着されていると共に、その支軸７１ａの下端部がプレート７２よりも下方に突出している。
そして、前記支軸７１ａの下端部が前記支持部材７５の穴７５ａに嵌まり合い、障子ガイドローラ７１が面外方向に動かないように支持している。
【００３２】
前記第１・第２可動障子３，４の各開き側縦框３２，４２には図２に示すように第１・第２ブラケット８０，８１が取り付けてある。この第１・第２ブラケット８０，８１に第１・第２ガイドローラ８２，８３が面外方向一側に向けて横軸回りに回転自在にそれぞれ取り付けてある。
前記第１ガイドローラ８２は図７に示すように、固定障子２の下框２０に、面外方向他側に開口して形成した面内方向に連続する第１ガイド溝２０ａに面内方向に移動可能に嵌まり込み、第１可動障子３を固定障子２に沿って移動自在にガイドする。
前記第２ガイドローラ８３は図７に示すように、第１可動障子３の下框３０に、面外方向他側に開口して形成した面内方向に連続した第２ガイド溝３０ａに面内方向に移動可能に嵌まり込み、第２可動障子４を第１可動障子３に沿って移動自在にガイドする。
【符号の説明】
【００３３】
１…建具枠、２…固定障子、３…第１可動障子（振れを規制する可動障子）、４…第２可動障子（他の可動障子）、４ａ…ガイド凹溝、１０…縦枠、１１…上枠、３０…下框、３１…上框、３２…開き側縦框（面内方向開き側端部）、３３…閉じ側縦框（面内方向閉じ側端部）、４０…下框、４１…上框、４２…開き側縦框（面内方向開き側端部）、４３…閉じ側縦框（面内方向閉じ側端部）、５０…規制部材、５０ａ…規制面、６０…被規制部材、６０ａ…固着部、６０ｂ…被規制部、６１…障子ガイドローラ。
【図１】
2010275790.tif 000003
【図２】
2010275790.tif 000004
【図３】
2010275790.tif 000005
【図４】
2010275790.tif 000006
【図５】
2010275790.tif 000007
【図６】
2010275790.tif 000008
【図７】
2010275790.tif 000009
【図８】
2010275790.tif 000010
【図９】
2010275790.tif 000011